(57)【要約】【課題】一般的な棺内に収容された遺体を非凍結状態で保存することが可能な棺内遺体保存装置を提供する。【解決手段】棺内遺体保存装置１は、棺ＣＫの外に置かれる制御ユニット１０と、棺ＣＫに対し出し入れ可能な棺内環境形成ユニット２０と、保冷剤３０とを備えて構成される。制御ユニット１０は、電場制御装置１２を備えて構成され、棺内環境形成ユニット２０は、静電気放出手段２２と除菌・脱臭手段２３とを備えて構成される。棺ＣＫ内に保冷剤３０を入れて、棺ＣＫ内を−５℃から０℃の範囲の温度に保つとともに、電場制御装置１２を駆動させて静電気放出手段２２から棺ＣＫ内に静電気を放出して棺ＣＫ内に電場を形成することによって、棺ＣＫ内の遺体を非凍結状態保存する。【選択図】図２
2019037315.tif 000002
【特許請求の範囲】
【請求項１】
棺に対し出し入れ可能な静電気放出手段を有し、前記棺内に入れられた前記静電気放出手段から静電気を放出して前記棺内に電場を形成する空間電位発生手段と、
前記棺内に入れられて前記棺内の温度をマイナスの設定温度に保つ保冷手段と、を備えて構成されることを特徴とする棺内遺体保存装置。
【請求項２】
前記静電気放出手段は、ケース部材内に収納保持され、前記棺に対し前記ケース部材ごと出し入れ可能に構成されることを特徴とする請求項１に記載の棺内遺体保存装置。
【請求項３】
前記ケース部材の少なくとも一側面部に、複数の孔部が形成されることを特徴とする請求項２に記載の棺内遺体保存装置。
【請求項４】
前記ケース部材内に、複数個の前記静電気放出手段が収納保持されることを特徴とする請求項２もしくは３に記載の棺内遺体保存装置。
【請求項５】
前記ケース部材内に、前記棺内の細菌および臭気を減少させる殺菌・脱臭手段が収納保持されることを特徴とする請求項２〜４のいずれかに記載の棺内遺体保存装置。
【請求項６】
前記保冷手段は、不織布で包装された保冷剤により構成されることを特徴とする請求項１〜５のいずれかに記載の棺内遺体保存装置。
【請求項７】
前記設定温度は、−５℃から０℃の範囲の温度であることを特徴とする請求項１〜６のいずれかに記載の棺内遺体保存装置。
【発明の詳細な説明】
【技術分野】
【０００１】
本発明は、棺内で遺体を保存するための棺内遺体保存装置に関する。
【背景技術】
【０００２】
遺体の保存方法としては、棺（棺桶）に納められた遺体の周囲にドライアイスを置いて遺体を冷却保存する方法が一般的である。近年、特に都市部において火葬施設が混雑し、そのため遺体の保存期間が長期化する傾向にあるが、ドライアイスを用いる方法は、所定量のドライアイスを毎日補充する必要があるので、保存期間が長期化するとコストが大きく嵩んでしまう。また、火葬する際に棺内に残っていたドライアイスから発生する二酸化炭素によって火葬炉が腐食するという問題や、ドライアイスによって低温燃焼状態となりダイオキシンが発生するという問題も指摘されている。
【０００３】
ドライアイスを用いない遺体保存方法として、冷凍装置により遺体を冷凍保存する方法が知られている。この方法は、遺体を長期保存することが可能であるが、凍結した遺体を葬儀の前に解凍する作業が必要となるので作業工程が複雑となり、また解凍する際に遺体が損傷する虞もある。これらの従来手法に替わる遺体保存方法として近年、遺体をマイナスの温度環境下に置きながら、遺体周囲の空間に電場を形成することにより、遺体を凍結しない状態（以下「氷点下非凍結状態」とも称する）で保存する技術が提案されている（例えば、下記特許文献１，２を参照）。
【先行技術文献】
【特許文献】
【０００４】
【特許文献１】特開２０１６−８７０５４号公報
【特許文献２】特開２０１５−１７３９０８号公報
【発明の概要】
【発明が解決しようとする課題】
【０００５】
上記特許文献１には、遺体の周囲を囲むように電極板を配置して電場を形成する遺体保存装置が記載されている。この装置では、遺体を収納する空間を画成する複数の大型の電極板を３層に配置する必要があるので、装置構成（特に遺体を収納する箱体の構造）が複雑となり製造コストが嵩むという問題がある。上記特許文献２には、納棺された遺体を挟むように、棺内の対向する２つの壁面部に一対の大型の電極板を配置して棺内の空間に電場を形成する技術が記載されている。この技術では、棺に電極板を取り付けたり、棺内に冷気を送るための孔を棺に開設したりするなどの加工作業が必要となるので、一般的な棺に適用することが難しく、また加工作業時に棺が損傷する虞もある。
【０００６】
本発明はこのような事情に鑑みてなされたものであり、一般的な棺内に収納された遺体を非凍結状態で保存することが可能な棺内遺体保存装置を提供することを目的とする。
【課題を解決するための手段】
【０００７】
上記目的を達成するため、本発明に係る棺内遺体保存装置は、棺に対し出し入れ可能な静電気放出手段を有し、前記棺内に入れられた前記静電気放出手段から静電気を放出して前記棺内に電場を形成する空間電位発生手段と、前記棺内に入れられて前記棺内の温度をマイナスの設定温度に保つ保冷手段と、を備えて構成される。
【０００８】
上記構成の棺内遺体保存装置において、前記静電気放出手段は、ケース部材内に収納保持され、前記棺に対し前記ケース部材ごと出し入れ可能に構成されることが好ましい。
【０００９】
上記構成の棺内遺体保存装置において、前記ケース部材の少なくとも一側面部に、複数の孔部が形成されることが好ましい。
【００１０】
上記構成の棺内遺体保存装置において、前記ケース部材内に、複数個の前記静電気放出手段が収納保持されることが好ましい。
【００１１】
上記構成の棺内遺体保存装置において、前記ケース部材内に、前記棺内の細菌および臭気を減少させる殺菌・脱臭手段が収納保持されることが好ましい。
【００１２】
上記構成の棺内遺体保存装置において、前記保冷手段は、不織布で包装された保冷剤により構成されることが好ましい。
【００１３】
上記構成の棺内遺体保存装置において、前記設定温度は、−５℃から０℃の範囲内の温度であることが好ましい。
【発明の効果】
【００１４】
本発明に係る棺内遺体保存装置によれば、棺内に入れられた保冷手段により棺内の温度をマイナスの設定温度に保つとともに、棺内に入れられた静電気放出手段から静電気を放出して棺内に電場を形成する構成であるので、棺内の遺体をマイナスの温度環境下で冷却しながらも非凍結状態（氷点下非凍結状態）で保存することができる。静電気放出手段は、棺に対し出し入れ可能に構成されるので、静電気放出手段を必要なときに（遺体を冷却保存する際に）棺内に入れ、不要なときは棺内から取り出すことができる。このため、電場を形成するために棺内に電極板を取り付けるといった特別な加工を施す必要がなく、一般的な棺内で遺体を保存することが可能となる。
【００１５】
上記構成の棺内遺体保存装置において、静電気放出手段がケース部材内に収納保持され、棺に対しケース部材ごと出し入れ可能な構成とすれば、静電気放出手段をケース部材ごと取り扱う（持ち運んだり棺に対し出し入れしたりする）ことができるので、静電気放出手段の取り扱いが容易となるとともに、ケース部材により静電気放出手段を保護することが可能となる。
【００１６】
上記構成の棺内遺体保存装置において、ケース部材の少なくとも一側面部に、複数の孔部が形成される構成とすれば、静電気放出手段からの静電気が複数の孔部を通って容易に棺内に放出されるようにすることが可能となる。
【００１７】
上記構成の棺内遺体保存装置において、ケース部材内に、複数個の静電気放出手段が収納保持される構成とすれば、複数個の静電気放出手段をケース部材ごと纏めて取り扱うことができるので、複数個の静電気放出手段を棺内に入れたり、棺内から取り出したりする作業を容易に行うことが可能となる。
【００１８】
上記構成の棺内遺体保存装置において、ケース部材内に、棺内の細菌および臭気を減少させる殺菌・脱臭手段が収納保持される構成とすれば、ケース部材を棺内に入れることにより、棺内における細菌および臭気の増加を抑えることが可能となる。また、殺菌・脱臭手段と静電気放出手段を一緒にケース部材ごと纏めて取り扱うことができるので、静電気放出手段および殺菌・脱臭手段を棺内に入れたり、棺内から取り出したりする作業を容易に行うことが可能となる。
【００１９】
上記構成の棺内遺体保存装置において、保冷手段を、不織布で包装された保冷剤により構成するものとすれば、ドライアイスを用いることなく、棺内をマイナスの設定温度に保
冷することが可能となる。保冷剤は、繰り返し使用することができるので費用対効果に優れており、不織布により保冷剤の周囲が結露することを防止することも可能となる。
【００２０】
上記構成の棺内遺体保存装置において、設定温度を−５℃から０℃の範囲内の温度とする構成とすれば、設定温度を−５℃よりも低くした場合に比較して、遺体をより良好に非凍結状態で保存することが可能となる。
【図面の簡単な説明】
【００２１】
【図１】本発明の一実施形態に係る棺内遺体保存装置の全体構成を示す斜視図である。
【図２】上記棺内遺体保存装置の電場形成ユニット、制御ユニットおよび保冷剤の配置例を示す平面図である。
【図３】上記電場形成ユニットと上記保冷剤の配置例を示す棺の縦断面図である。
【発明を実施するための形態】
【００２２】
以下、本発明の一実施形態に係る棺内遺体保存装置１について、上記図面を参照しながら説明する。図１に示す棺ＣＫは、有底箱状の棺本体部８１と、棺本体部８１の上面を覆う上蓋部８２とを備えて構成される木製の一般的なものであり、上蓋部８２には、棺ＣＫ内を覗くために開閉される窓部Ｗが設けられている。本実施形態の棺内遺体保存装置１は、棺ＣＫ内に収納された遺体（図示略）を氷点下非凍結状態で保存するためのものであり、制御ユニット１０と、棺内環境形成ユニット２０と、保冷手段としての保冷剤３０とを備えて構成される。
【００２３】
制御ユニット１０は、矩形箱状（直方体状）に形成された収容ボックス１１と、収容ボックス１１内に収容保持された電場制御装置１２、および交流を直流に変換するためのＡＣアダプタ（図示略）を備えて構成される。収容ボックス１１は開閉可能に構成されており、かつ電場制御装置１２を駆動させるためのスイッチ等を操作できるように構成されている。収容ボックス１１の各側壁部には、電場制御装置１２等から発生する熱を収容ボックス１１外に放出するための多数の小孔部（図示略）が形成されており、収容ボックス１１内に熱が篭り難い構成となっている。制御ユニット１０は、持ち運び可能に構成されており、収納ボックス１１の上面部には、作業者が制御ユニット１０を持ち運ぶ際に手を掛ける持ち手部１３が設けられている。制御ユニット１０には、収容ボックス１１から延び出た電気コード１４が設けられている。この電気コード１４は、交流電流により駆動する電場制御装置１２と直流電源（図示略）とを接続する電線と、収容ボックス１１内の上記ＡＣアダプタと直流電源とを接続する電線とを内蔵しており、直流電源のプラグ受け部（例えば、自動車に搭載されるシガーソケット。図示略）に接続される差し込みプラグ１５と、直流を交流に変換するためのＤＣ／ＡＣインバータ１６とを備えて構成される。
【００２４】
棺内環境形成ユニット２０は、矩形箱状に形成された収容ケース２１と、収容ケース２１内に収容保持された２個の静電気放出手段２２と、同じく収容ケース２１内に収容保持された１個の除菌・脱臭手段２３とを備えて構成される。棺内環境形成ユニット２０は、持ち運び可能（可搬型）に構成されており、収容ケース２１ごと、棺ＣＫに対し出し入れ（棺ＣＫ内に入れたり棺ＣＫ内から取り出したり）できるようになっている。収容ケース２１の上面部及び各側面部には、静電気放出手段２２から放出される静電気や、除菌・脱臭手段２３から放出されるオゾンを収容ケース２１外に放出するための多数の小孔部（図示略）が形成されている。収容ケース２１は開閉可能に構成され、収容ケース２１を開けた状態で、収容ケース２１内の静電気放出手段２２や除菌・脱臭手段２３の交換、メンテナンス作業等を行えるようになっている。
【００２５】
静電気放出手段２２は、上述した電場制御装置１２と共に、特許第５６８３０３２号公
報に記載された空間電位発生装置と同様の構成の空間電位発生手段を構成する。すなわち、電場制御装置１２は、一次コイルと二次コイルとを磁気的に結合してなるトランスと、二次コイルにおける電圧を調整するために二次コイルの一方の端子を一次コイルの端子に戻すフィードバック制御回路と、二次コイルの出力に低周波振動を加えるために二次コイルの他方の端子に設けられた出力制御手段（いずれも図示略）とにより構成される。静電気放出手段２２は、電場制御装置１２の二次コイルの他方の端子に電気的に接続された、導電性材料からなる板面（図示略）を有し、電場制御装置１２の作動によってその板面から静電気を放出して、周囲の空間（例えば、静電気放出手段２２を中心とした半径略１．５メートルの範囲内の空間）に電場を形成するように構成されている。１個の電場制御装置１２が２個の静電気放出手段２２を制御するようになっており、制御ユニット１０と棺内環境形成ユニット２０との間には、電気コード２５が設けられている。この電気コード２５は、電場制御装置１２と２個の静電気放出手段２２とを接続する電線と、収納ボックス１１内の上記ＡＣアダプタと除菌・脱臭手段２３とを接続する電線とを内蔵している。
【００２６】
除菌・脱臭手段２３は、棺ＣＫ内にオゾンを放出して、棺ＣＫ内の細菌の除菌（殺菌）および臭気の脱臭を行うように構成されている。特に、細菌による遺体の腐敗防止、死臭の原因となるガダベリン、プトレシン、酪酸、アンモニア、メチルメルカブタン等の脱臭に優れた効果を発揮する。除菌・脱臭手段２３は、直流電流により駆動するように構成されており（交流電流により駆動する構成とすることも可）、電気コード２５、収容ボックス１１内の上記ＡＣアダプタおよび電気コード１４を介して直流電源（例えば、上述のシガーソケット）に接続されている。
【００２７】
保冷剤３０は、非透水性の袋体３１内にゲル状の高吸水性樹脂を密封して構成されており、袋体３１の表面には不織布３３が設けられている。この保冷剤３０は、冷凍庫（セレモニーホールや葬儀業者等が所有するものを用いることができる）に入れて十分に冷凍することにより、冷凍庫から取り出した後、所定時間保冷効果を発揮するように構成されている。また、保冷剤３０は、使用後に再冷凍することにより繰り返し使用することが可能であり、保冷ボックス等に入れて持ち運ことができる。袋体３１の表面に設けられた不織布３３は、袋体３１の表面に凝縮する水分を吸収して結露を防止するように構成されている。
【００２８】
棺内遺体保存装置１を使用する際には、遺体が収納された棺ＣＫ（上蓋部８２は外されている）内に、冷凍された保冷剤３０と棺内環境形成ユニット２０をセットする（図２を参照）。保冷剤３０は、棺ＣＫ内が−５℃から０℃の範囲の温度に保たれるように、そのために必要な数だけ設置される。図２に示す例では、棺ＣＫ内の左右の側面部に沿って４個ずつ計８個の保冷剤３０を設置しているが、設置数や設置位置等は、棺ＣＫの大きさや棺ＣＫが設置される場所の気温等により適宜調整される。棺内環境形成ユニット２０は、棺ＣＫ内の適宜の位置に置くことが可能である。図２、図３では、棺内環境形成ユニット２０を遺体の脚部上にそのまま置いた場合の位置を概略的に例示しているが、遺体を横方向に跨ぐ台座（図示略）を棺ＣＫ内に置いて、この台座上に棺内環境形成ユニット２０を置くようにしてもよい。
【００２９】
制御ユニット１０は、棺ＣＫの外部の適宜の位置に置くことが可能である。制御ユニット１０と棺内環境形成ユニット２０とを繋ぐ電気コード２５は、棺本体部８１の上縁部を跨ぐように配置される。上蓋部８２を棺本体部８１に被せたときに電気コード２５によって上蓋部８２と棺本体部８１との間に隙間ができないように、棺本体部８１の上縁部に電気コード２５が収まる大きさの溝を形成し、その溝に電気コード２５を通すようにしてもよい。
【００３０】
棺ＣＫ内に保冷剤３０と棺内環境形成ユニット２０をセットした後、上蓋部８２を棺本
体部８１に被せて棺ＣＫを閉じる。制御ユニット１０と棺内環境形成ユニット２０に電源が供給されるようにし、棺内環境形成ユニット２０内の各静電気放出手段２２から静電気を放出して棺ＣＫ内に電場を形成するとともに、除菌・脱臭手段２３からオゾンを放出して、棺ＣＫ内の除菌、脱臭を行う。
【００３１】
保冷剤３０は、時間の経過とともに保冷効果が低下するので、所定時間が経過した場合は、十分に冷凍された別のものと交換する。棺内遺体保存装置１の使用を停止する場合は、棺ＣＫ内に入れた保冷剤３０と棺内環境形成ユニット２０を取り出す。
【００３２】
以上のように構成された棺内遺体保存装置１によれば、棺ＣＫ内に入れられる保冷剤３０が棺ＣＫ内を−５℃から０℃の範囲内の設定温度に保冷するとともに、棺ＣＫ内に入れられる棺内環境形成ユニット２０の静電気放出手段２２から庫内空間に静電気を放出して棺ＣＫ内に電場を形成するので、棺ＣＫ内の遺体をマイナスの温度環境下で冷却しながらも遺体を非凍結状態（氷点下非凍結状態）で良好に保存することができる。また、棺内環境形成ユニット２０の除菌・脱臭手段２３からオゾンを放出して棺ＣＫ内の細菌および臭気を減少させるので、棺ＣＫ内における細菌および臭気の増加を抑えることが可能となり、遺体の腐敗進行を抑制することも可能となる。
【００３３】
また、棺内遺体保存装置１によれば、棺ＣＫ内に、冷凍された保冷剤３０と棺内環境形成ユニット２０をセットするだけで、棺ＣＫ内に、遺体保存に適した環境を形成することができるので、利便性が高い。電場を形成するための電極板を棺ＣＫ内に取り付けたり、棺ＣＫ内を冷却するための電動の冷却装置を用いたりする必要がないので、棺に特別な加工を施す必要もなく、一般的な棺を用いて遺体を保存することが可能となる。棺ＣＫ内から保冷剤３０と棺内環境形成ユニット２０を取り出せば、そのまま棺ＣＫを焼却することもできる。ドライアイスを用いないので、焼却しても特に問題は生ぜず、経済性にも優れている。
【００３４】
棺内遺体保存装置１の各構成要素（制御ユニット１０、棺内環境形成ユニット２０、保冷剤３０）は、いずれも持ち運び可能に構成されているので、車両に搭載されるシガーソケットから電源を取ることができる差し込みプラグ１５を備えることによって、棺ＣＫを搬送する車中においても、棺ＣＫ内に良好な遺体保存環境を整えて、遺体を冷却保存することができる。このため、通常は、遺体保存のための専用の装置（例えば、本出願人による特願２０１６−２０２００６号の明細書等に開示した遺体保存装置や、特願２０１７−１４６４５０号の明細書等に開示した複数遺体保存装置）内に、棺ＣＫごと遺体を収容して保存しておき、そこから棺ＣＫを出して車で搬送する場合や、棺ＣＫを遺族等の家に設置して遺体を保存する場合に、棺内遺体保存装置１を使用することも可能である。後者の場合は、家屋に設置されているコンセント（プラグ受け）から電源を取れるように差し込みプラグ等を構成する。
【００３５】
以上、本発明の実施形態について説明したが、本発明の範囲は上述の実施形態に限定されるものではない。例えば、上述の実施形態では、棺内環境形成ユニット２０が２個の静電気放出手段２２を備えているが、静電気放出手段２２を１個のみ、あるいは３個以上備えた構成とすることも可能である。また、棺内環境形成ユニット２０が除菌・脱臭手段２３を備えていない構成とすることも可能である。静電気放出手段２２や除菌・脱臭手段２３を収容ケース２１のような容器内に収容せず、それぞれ単独で、棺ＣＫに対し出し入れするように構成してもよい。棺ＣＫ内に、棺ＣＫ内の温度を検出するセンサや温度計を入れるようにしてもよい。
【００３６】
静電気やオゾンが透過できる材料で収納ケース２１を構成したり、静電気やオゾンが通過するスリットや開口部を収容ケース２１に設けたりすることにより、収納ケース２１内
から静電気やオゾンが放出されるように構成すれば、収容ケース２１に小孔部を設けなくてもよい。静電気放出手段２２や除菌・脱臭手段２３を、上面部が開放された有底箱状の容器内に収納保持するようにしてもよい。電場制御装置１２を収容ボックス１１内に収容せずに、単独で持ち運べるように構成してもよい。電場制御装置１２や除菌・脱臭手段２３を電池により駆動するように構成してもよい。
【符号の説明】
【００３７】
１      棺内遺体保存装置
１０    制御ユニット
１１    収容ボックス
１２    電場制御装置
１５    差し込みプラグ
２０    棺内環境形成ユニット
２１    収容ケース
２２    静電気放出手段
２３    除菌・脱臭手段
３０    保冷剤
３３    不織布
ＣＫ    棺
Ｗ      窓部
【図１】
2019037315.tif 000003
【図２】
2019037315.tif 000004
【図３】
2019037315.tif 000005